(57)【要約】【課題】カメラモードが設定されているかどうかを外観で判断することが可能であり、然もレンズが損傷を受け難い折り畳み式携帯端末機を提供する。【解決手段】本発明に係る折り畳み式携帯端末機は、第１本体１にヒンジ機構５を介して第２本体２が枢支され、第１本体１の表面と第２本体２の表面にはそれぞれ操作キーとメインディスプレイが配備されている。第２本体２は、ヒンジ機構５に連結されて第１本体１に対して開閉可能なベースキャビネット３と、該ベースキャビネット３の裏面に摺動可能に係合してヒンジ機構５に対して接近離間するスライドキャビネット４とを具え、ベースキャビネット３の裏面には、スライドキャビネット４がヒンジ機構５から離間することによって露出することとなる位置に、カメラ６が設置されている。【選択図】　　　図６
2004120332.tif 000002
【特許請求の範囲】
【請求項１】
第１本体（１）にヒンジ機構（５）を介して第２本体（２）が枢支され、両本体（１）（２）を折り畳むことによって互いに対向することとなる第１本体（１）の表面と第２本体（２）の表面にはそれぞれ操作キー（１１）とメインディスプレイ（２１）が配備されている折り畳み式携帯端末機において、第２本体（２）は、前記ヒンジ機構（５）に連結されて第１本体（１）に対して開閉可能なベースキャビネット（３）と、該ベースキャビネット（３）の裏面に摺動可能に係合してヒンジ機構（５）に対して接近離間するスライドキャビネット（４）とを具え、ベースキャビネット（３）の表面に前記メインディスプレイ（２１）が取り付けられ、ベースキャビネット（３）の裏面には、スライドキャビネット（４）がヒンジ機構（５）から離間することによって露出することとなる位置に、カメラ（６）が設置されていることを特徴とする折り畳み式携帯端末機。
【請求項２】
第２本体（２）にはサブディスプレイ（２２）が設置され、該サブディスプレイ（２２）の画面は、メインディスプレイ（２１）の画面とは反対側に向いてスライドキャビネット（４）の裏面から露出している請求項１に記載の折り畳み式携帯端末機。
【請求項３】
第１本体（１）の表面には、第２本体（２）を第１本体（１）に折り畳んだ状態でスライドキャビネット（４）がヒンジ機構（５）に接近することによって露出することとなる位置に、着信を報知する放音部（１３）（１３）が設けられている請求項１又は請求項２に記載の折り畳み式携帯端末機。
【請求項４】
スライドキャビネット（４）をヒンジ機構（５）から離間させることによってカメラ（６）による撮影を可能とするカメラモードが設定され、スライドキャビネット（４）の表面には、スライドキャビネット（４）がヒンジ機構（５）から離間することによって露出することとなる位置に、カメラモードが設定されたことを示す表示が施されている請求項１乃至請求項３の何れかに記載の折り畳み式携帯端末機。
【発明の詳細な説明】
【０００１】
【発明の属する技術分野】
本発明は、折り畳み式携帯電話機の如く第１本体にヒンジ機構を介して第２本体を枢支して構成されると共に、カメラを搭載した折り畳み式携帯端末機に関するものである。
【０００２】
【従来の技術】
例えば図９に示す折り畳み式携帯電話機は、上半ケース（２０）と下半ケース（３０）をヒンジ機構（１０４）によって連結してなり、上半ケース（２０）の裏面には、補助ディスプレイ（１０１）とカメラ窓（１０２）が設けられている。カメラ窓（１０２）の奥部には、ＣＣＤカメラ（図示省略）が設置されている。又、上半ケース（２０）の裏面には、カメラ窓（１０２）の側部に、ユーザ自身の像を撮影する際に自身の像を写すことによってカメラの向きを調節するためのミラー部材（１０３）が配備されている（特許文献１参照）。
又、電話機本体にカメラを回転可能に配備したカメラ付き携帯電話機が提案されている（特許文献２、特許文献３参照）。
【０００３】
【特許文献１】
特願２００２−２４４２２６号
【特許文献２】
特開２００１−２４５２６７号公報
【特許文献３】
特開２００１−２９８５１６号公報
【０００４】
【発明が解決しようとする課題】
しかしながら、カメラ付きの携帯電話機は、カメラによる撮影が可能なカメラモードが設定されているかどうかを外観で判断することが出来ないため、カメラ付き携帯電話機を用いた盗撮の問題が発生している。
又、カメラのレンズがケースの表面に露出しているため、レンズが損傷を受け易い問題があった。
【０００５】
そこで本発明の目的は、カメラによる撮影が可能なカメラモードが設定されているかどうかを外観で判断することが可能であり、然もレンズが損傷を受け難い構造の折り畳み式携帯端末機を提供することである。
【０００６】
【課題を解決する為の手段】
本発明に係る折り畳み式携帯端末機においては、第１本体（１）にヒンジ機構（５）を介して第２本体（２）が枢支され、両本体（１）（２）を折り畳むことによって互いに対向することとなる第１本体（１）の表面と第２本体（２）の表面にはそれぞれ操作キー（１１）とメインディスプレイ（２１）が配備されている。
第２本体（２）は、前記ヒンジ機構（５）に連結されて第１本体（１）に対して開閉可能なベースキャビネット（３）と、該ベースキャビネット（３）の裏面に摺動可能に係合してヒンジ機構（５）に対して接近離間するスライドキャビネット（４）とを具え、ベースキャビネット（３）の表面に前記メインディスプレイ（２１）が取り付けられ、ベースキャビネット（３）の裏面には、スライドキャビネット（４）がヒンジ機構（５）から離間することによって露出することとなる位置に、カメラ（６）が設置されている。
【０００７】
上記本発明の折り畳み式携帯端末機においては、第２本体（２）を第１本体（１）に折り畳んだ状態で、若しくは第２本体（２）を第１本体（１）から開いた状態で、スライドキャビネット（４）をヒンジ機構（５）から離間する方向へスライドさせることによって、ベースキャビネット（３）の裏面にカメラ（６）が現われ、該カメラ（６）を用いた撮影が可能となる。又、スライドキャビネット（４）をヒンジ機構（５）に接近する方向へスライドさせると、該スライドキャビネット（４）によってカメラ（６）が覆われることになる。
【０００８】
具体的構成において、第２本体（２）にはサブディスプレイ（２２）が設置され、該サブディスプレイ（２２）の画面は、メインディスプレイ（２１）の画面とは反対側に向いて、スライドキャビネット（４）の裏面から露出している。
該具体的構成によれば、カメラ（６）によって操作者自身を撮影する場合は、カメラ（６）から得られる自己の画像をサブディスプレイ（２２）に表示することが出来、カメラ（６）によって前方を撮影する場合は、カメラ（６）から得られる前方の映像をメインディスプレイ（２１）に表示することが出来る。
【０００９】
又、具体的構成において、第１本体（１）の表面には、第２本体（２）を第１本体（１）に折り畳んだ状態でスライドキャビネット（４）がヒンジ機構（５）に接近することによって露出することとなる位置に、着信を報知する放音部（１３）（１３）が設けられている。
該具体的構成においては、第２本体（２）を第１本体（１）に折り畳むと共に、スライドキャビネット（４）をヒンジ機構（５）に接近させた状態で携帯する。この場合、第１本体（１）の表面に放音部（１３）（１３）が露出しているので、着信時には該放音部（１３）（１３）から着信音が発生して、着信を報知することが出来る。
【００１０】
又、具体的構成において、スライドキャビネット（４）をヒンジ機構（５）から離間させることによってカメラ（６）による撮影を可能とするカメラモードが設定され、スライドキャビネット（４）の表面には、スライドキャビネット（４）がヒンジ機構（５）から離間することによって露出することとなる位置に、カメラモードが設定されたことを示す表示が施されている。
該具体的構成によれば、スライドキャビネット（４）をヒンジ機構（５）から離間させることによって、スライドキャビネット（４）の表面にカメラモード設定の表示が現われるので、該表示によって操作者はカメラモードの設定を確認することが出来る。
【００１１】
【発明の効果】
本発明に係る携帯型通信端末機においては、スライドキャビネット（４）をヒンジ機構（５）に接近する方向に移動させて、スライドキャビネット（４）によってカメラ（６）を隠した状態で、カメラ（６）による撮影は不可能であり、スライドキャビネット（４）をヒンジ機構（５）から離間する方向に移動させて、カメラ（６）を露出させた状態で、カメラ（６）による撮影が可能となるので、カメラ（６）が外観に現われているかどうかによって、カメラモード設定の有無を判断することが出来る。従って、第三者はユーザによる盗撮などの悪意の撮影を未然に発見することが出来ると共に、善意のユーザは安心して撮影を行なうことが出来る。又、カメラ（６）による撮影を行なわない状態では、カメラ（６）のレンズはスライドキャビネット（４）によって覆われているので、レンズの損傷を防止することが出来る。
【００１２】
【発明の実施の形態】
以下、本発明を折り畳み式携帯電話機に実施した形態につき、図面に沿って具体的に説明する。
本発明に係る折り畳み式携帯電話機においては、図１に示す如く、表面に複数の操作キー（１１）を具えた第１本体（１）に、ヒンジ機構（５）を介して、表面にメインディスプレイ（２１）を具えた第２本体（２）が枢支されて、図１〜図４に示す開き状態と図５〜図８に示す閉じ状態との間で、開閉操作が可能となっている。
【００１３】
尚、以下の構造説明では、図１に示す開き状態でメインディスプレイ（２１）の画面と同じ方向を向いた面を他の図面においても全て「表面」、その反対側の方向を向いた面を他の図面においても全て「裏面」と呼ぶものとする。
【００１４】
図１及び図２に示す如く、第１本体（１）の表面の下方端部には送話部（１２）が設けられると共に、送話部（１２）の更に下方には放音部（１３）（１３）が設けられている。又、第２本体（２）の表面の上方端部には受話部（２３）が設けられている。
第２本体（２）は、下端部がヒンジ機構（５）に連結されたベースキャビネット（３）と、該ベースキャビネット（３）の裏面に摺動可能に係合してヒンジ機構（５）に対して接近離間するスライドキャビネット（４）とを具えている。
【００１５】
ベースキャビネット（３）の表面の中央部には前記メインディスプレイ（２１）が取り付けられている。又、スライドキャビネット（４）の表面の上端部には前記受話部（２３）が設けられている。
一方、ベースキャビネット（３）の裏面には、図６に示す如く、スライドキャビネット（４）がヒンジ機構（５）から離間することによって露出することとなる位置に、ＣＣＤカメラ（６）と、撮影時に発光するフラッシュ（６１）とが併設されている。カメラ（６）及びフラッシュ（６１）は、図５に示す如くスライドキャビネット（４）をヒンジ機構（５）に接近する方向へ移動させることによって、該スライドキャビネット（４）によって覆われ、隠されることになる。又、スライドキャビネット（４）をヒンジ機構（５）に接近する方向へスライドさせることによって、図７に示す如く第１本体（１）の放音部（１３）（１３）が露出することになる。
【００１６】
スライドキャビネット（４）の裏面の中央部には、サブディスプレイ（２２）が設置されていると共に、該裏面の上端部には、スライドキャビネット（４）のスライド操作のための指掛かり（４１）が突設されている。
スライドキャビネット（４）の表面には、図２に示す如く、スライドキャビネット（４）がヒンジ機構（５）から離間することによって露出することとなる位置（４２）に、カメラモードが設定されたことを示す表示（図示省略）が施されている。
又、図８に示す如く第１本体（１）の左側部には、カメラ（６）による撮影時に操作すべきシャッター釦（１４）が配備されている。
【００１７】
上記本発明の折り畳み式携帯電話機は、図５に示す如く第１本体（１）と第２本体（２）を閉じると共に、スライドキャビネット（４）をヒンジ機構（５）に接近する方向へスライドさせた状態で、鞄や衣類のポケット等に収容して保持する。この状態で着信があると、放音部（１３）（１３）から着信音が出力される。このとき、スライドキャビネット（４）はヒンジ機構（５）に接近する方向に移動して、放音部（１３）（１３）は露出しているので、着信音が遮られることはない。又、サブディスプレイ（２２）には、相手の電話番号等が表示される。
ここで着信に応答する場合は、図１に示す如く第１本体（１）と第２本体（２）を開き、操作キー（１１）によってオフフック操作を行なう。
【００１８】
第１本体（１）と第２本体（２）を開いた状態でカメラ（６）による撮影を行なう場合には、図２に示す如くスライドキャビネット（４）をヒンジ機構（５）から離間する方向へスライドさせる。これによってカメラ（６）とフラッシュ（６１）が露出することになる。又、図２の如くスライドキャビネット（４）の表面の上端位置（４２）には、カメラモードが設定されたことを示す表示（図示省略）が現われる。
スライドキャビネット（４）のスライドによって内蔵スイッチが作動し、カメラモードが設定される。この結果、カメラ（６）によって撮影された前方の映像はメインディスプレイ（２１）に表示される。そして、前記シャッター釦（１４）を操作すると、撮影された映像がメモリに保存されることになる。この際、必要に応じてフラッシュ（６１）が発光する。
【００１９】
第１本体（１）と第２本体（２）を閉じた状態でカメラ（６）による撮影を行なう場合には、図６に示す如くスライドキャビネット（４）をヒンジ機構（５）から離間する方向へスライドさせる。これによってカメラ（６）とフラッシュ（６１）が露出することになる。
スライドキャビネット（４）のスライドによって内蔵スイッチが作動し、カメラモードが設定される。この結果、カメラ（６）によって撮影されたユーザ自身の映像はサブディスプレイ（２２）に表示される。そして、前記シャッター釦（１４）を操作すると、撮影された映像がメモリに保存されることになる。この際、必要に応じてフラッシュ（６１）が発光する。
【００２０】
上述の如く本発明に係る折り畳み式携帯電話機においては、図１或いは図５に示す如く、スライドキャビネット（４）をヒンジ機構（５）に接近する方向に移動させて、スライドキャビネット（４）によってカメラ（６）を隠した状態で、カメラ（６）による撮影は不可能であり、図２及び図６に示す如く、スライドキャビネット（４）をヒンジ機構（５）から離間する方向に移動させて、カメラ（６）を露出させた状態で、カメラ（６）による撮影が可能となるので、カメラ（６）が外観に現われているかどうかによって、カメラモード設定の有無を判断することが出来る。従って、第三者はユーザによる盗撮などの悪意の撮影を未然に発見することが出来ると共に、善意のユーザは安心して撮影を行なうことが出来る。
又、カメラ（６）による撮影を行なわない状態では、図１或いは図５の如く、カメラ（６）のレンズはスライドキャビネット（４）によって覆われているので、レンズの損傷を防止することが出来る。
【００２１】
尚、本発明の各部構成は上記実施の形態に限らず、特許請求の範囲に記載の技術的範囲内で種々の変形が可能である。例えば、第２本体（２）のスライドキャビネット（４）は、２段階にスライドする構造とし、第１段目のスライドによって先ずカメラモードが設定され、第２段目のスライドによってフラッシュ（６１）が発光するフラッシュモードが設定される構成とすることも可能である。
又、サブディスプレイ（２２）はスライドキャビネット（４）に配備してスライドキャビネット（４）と一体に移動させる構成に限らず、サブディスプレイ（２２）はベースキャビネット（３）に配備すると共に、スライドキャビネット（４）には、サブディスプレイ（２２）の画面を露出させる窓を開設して、スライドキャビネット（４）のスライドに伴ってサブディスプレイ（２２）の表示エリアをシフトさせる構成を採用することも可能である。
【図面の簡単な説明】
【図１】本発明に係る折り畳み式携帯電話機の開き状態の斜視図である。
【図２】開き状態の折り畳み式携帯電話機においてスライドキャビネットをヒンジ機構から離間させた状態の斜視図である。
【図３】開き状態の折り畳み式携帯電話機の背面図である。
【図４】開き状態の折り畳み式携帯電話機の側面図である。
【図５】本発明に係る折り畳み式携帯電話機の閉じ状態の斜視図である。
【図６】閉じ状態の折り畳み式携帯電話機においてスライドキャビネットをヒンジ機構から離間させた状態の斜視図である。
【図７】閉じ状態の折り畳み式携帯電話機の背面図である。
【図８】閉じ状態の折り畳み式携帯電話機の側面図である。
【図９】従来の折り畳み式携帯電話機の斜視図である。
【符号の説明】
（１）　第１本体
（１１）　操作キー
（１２）　送話部
（１３）　放音部
（１４）　シャッター釦
（２）　第２本体
（２１）　メインディスプレイ
（２２）　サブディスプレイ
（２３）　受話部
（３）　ベースキャビネット
（４）　スライドキャビネット
（５）　ヒンジ機構
（６）　カメラ
（６１）　フラッシュ
【図１】
2004120332.tif 000003
【図２】
2004120332.tif 000004
【図３】
2004120332.tif 000005
【図４】
2004120332.tif 000006
【図５】
2004120332.tif 000007
【図６】
2004120332.tif 000008
【図７】
2004120332.tif 000009
【図８】
2004120332.tif 000010
【図９】
2004120332.tif 000011